(57)【特許請求の範囲】
【請求項１】
一枚のブランクシートから一体的に打ち抜かれた箱体形成片から成り、この箱体形成片には、互いに連接された側面と、上記箱体形成片が組立状態のとき上記連接された側面で形成される箱体の端部を閉鎖する蓋片と、上記一側面に連続しこの側面に対向する側面と上記蓋片にかけて上記側面と上記蓋片の内壁面に沿ってつなぎ目が無く連続して設けられる内箱片と、上記内箱片に形成された被係合部と、上記内箱片の上記被係合部に対面する上記側面に形成された係合部が設けられ、上記内箱片は、上記箱体形成片の組立状態のとき上記一対の側面と上記蓋片の内側に沿って折り曲げられ、上記内箱片の被係合部は上記側面に形成された係合部に係止されていることを特徴とする包装用箱。
【請求項２】
上記蓋片は上記箱体形成片の下蓋片であり、その下蓋片に対向する上蓋片が設けられ、上記内箱片の先端部には、上記上蓋片の内壁面に沿って設けられる内側上蓋片が設けられていることを特徴とする請求項１記載の包装用箱。
【請求項３】
上記上蓋片には、上記箱体の係合部と上記内箱片の被係合部が互いに係合されている状態で上記係合部と上記被係合部の外側を覆う覆い片が、上蓋片と一体に設けられていることを特徴とする請求項２記載の包装用箱。
【発明の詳細な説明】
【０００１】
【発明の属する技術分野】
この発明は、薬剤や食品等の商品を収容し改ざん防止機能を備えた包装用箱に関する。
【０００２】
【従来の技術】
従来、保管の際に管理を必要とするような、劇薬や麻薬成分が含まれている医薬品等の商品を包装する包装用箱は、改ざん防止のために、上蓋片と側面が改ざん防止機能を有するテープで封止されている。このようなテープは、開封するときテープの印刷の一部が包装用箱に転写され、未開封の状態と区別することができる。
【０００３】
また改ざんを防止するために、包装用箱の上蓋片の差込部と箱側面を糊付けする方法がある。この方法は、開封するときに上蓋片の差込部と側面に糊をはがした跡が残り、未開封の状態と容易に区別することができる。
【０００４】
【発明が解決しようとする課題】
上記従来の技術の、改ざん防止効果を有するテープの場合、テープが貼られていない底蓋片から開封すると、開封したことが判らないものである。また、底蓋からの改ざんを防ぐために底蓋にも改ざん防止用テープを貼ると、コストがかかり、工数が増えると言う問題がある。
【０００５】
また、上記従来の技術の糊付けによる改ざん防止方法の場合、開封後にきれいに糊付けすると、開封した跡が残らず改ざんしたかどうかの判断が難しいという欠点がある。
【０００６】
この発明は上記従来の技術の問題点に鑑みてなされたものであり、確実な改ざん防止効果を有する包装用箱を提供することを目的とする。
【０００７】
【課題を解決するための手段】
この発明は、一枚のブランクシートから一体的に打ち抜かれた箱体形成片から成る包装用箱であり、この箱体形成片には、互いに連接された側面と、上記箱体形成片の組立状態のとき上記連接された側面で形成される箱体の開口端部を閉鎖する蓋片と、上記一側面に連続しこの側面に対向する側面と上記蓋片にかけて上記側面と上記蓋片の内壁面に沿ってつなぎ目が無く連続して設けられる内箱片と、上記内箱片に形成された被係合部と、上記内箱片の上記被係合部に対面する上記側面に形成された係合部が設けられている包装用箱である。そして、上記内箱片は、上記箱体形成片の組立状態のとき上記一対の側面とこの蓋片の内側に沿って折り曲げられ、上記内箱片の上記被係合部は上記側面に形成された係合部に係止されている。
【０００８】
また、上記蓋片は上記箱体形成片の下蓋片であり、その下蓋片に対向する上蓋片が設けられ、上記内箱片の先端部には、上記上蓋片の内壁面に沿って設けられる内側上蓋片が設けられている。
【０００９】
また、上記上蓋片には、上記箱体の係合部と上記内箱片の被係合部が互いに係合されている状態で上記係合部と上記被係合部の外側を覆う覆い片が、上記上蓋片と一体に設けられている。
【００１０】
この発明の包装用箱は、蓋片を開封すると、蓋片の内側に設けられた内箱片が露出する。そして、内箱片は箱体の側面に沿って継ぎ目無く設けられ、内箱片の端部は箱体の他の側面に係止されているため、内箱片を包装用箱の外へ引き出すことができない。これにより包装用箱の内容物である薬剤等の商品を取り出すことができず、また商品を取り出すには内箱片を破らなければならず、改ざんした跡が残る。
【００１１】
【発明の実施の形態】
以下、この発明の実施形態について図面に基づいて説明する。図１〜図５は、この発明の一実施形態の包装用箱１０を示したもので、包装用箱１０は、厚紙等の一枚のブランクシートを打ち抜いて形成された箱体形成片１２を組み立てて設けられている。
【００１２】
箱体形成片１２は、側面１４，１６，１８，２０が、互いに平行に連接して形成されている。さらに側面２０の側縁部には、包装用箱１０の組立状態で側面１４の外側に糊付けされる側面２２が設けられている。そして側面１４，１６，１８，２０，２２は、各々折罫線２４，２６，２８，３０で区切られている。
【００１３】
側面１８の、隣接する一対の側面１６，２０の連接方向に対して平行に位置する一方の端部１８ａには、端部１８の中心を挟んで所定間隔に、一対のＶ字形の切欠部３２が設けられている。一対の切欠部３２の間に位置する端部１８ａは、後述する折返片８８の切込線９８に差し込まれる係合部である舌片３３となる。そして側面１８の、端部１８ａに対して平行な他方の端部には、第一底蓋片３４が折罫線３５で区切られて設けられている。第一底蓋片３４の側縁部には、中央に形成された中央差込突起３６と、両脇に形成された一対の外側差込突起３８が一体に設けられている。そして、中央差込突起３６と外側差込突起３８の間は、２箇所の凹状の切欠部３９となる。
【００１４】
側面１６の、隣接する側面１４，１８の連接方向に対して平行に位置する一方の端部には、ほぼ矩形のフラップ４０が折罫線４２で区切られて設けられている。側面１６の反対側の端部には、先端が小さい矩形に形成された略台形状の底フラップ４４が折罫線４６で区切られて設けられている。
【００１５】
側面２０の、隣接する側面１８，２２の連接方向に対して平行に位置する一方の端部には、ほぼ矩形のフラップ４８が折罫線５０で区切られて設けられている。側面２０の反対側の端部には、先端が小さい矩形に形成された略台形状の底フラップ５２が折罫線５４で区切られて設けられている。
【００１６】
側面２２の、隣接する側面２０の連接方向に対して平行に位置する一方の端部には、フラップ４８に隣接して上蓋片５６が折罫線５８で区切られて設けられている。そして上蓋片５６には、さらに組立状態で側面１８の内側に差し込まれる差込片６０が折罫線６２で区切られて設けられている。差込片６０の側縁部の両脇には、一対の差込突起６４が一体に設けられている。側面２２の、反対側の端部には、折罫線６６を介して第二底蓋片６８が設けられている。第二底蓋片６８の側縁部の両脇には、一対の差込突起７０が一体に設けられている。第二底蓋片６８の側縁部で、差込突起７０の外側は、折罫線６６に近づく方向へ丸められている。
【００１７】
側面２２の、中央よりやや折罫線６６寄りの部分には、折罫線５８側へその両端が向かうコの字形の透孔７２が形成されている。透孔７２の内側の、切り残された部分は摘み片７４であり、摘み片７４の基端部には、折罫線５８に対して平行な折罫線７６が形成されている。そして側面２２には、摘み片７４の基端部両端から折罫線５８の両端部に向かう、一対の破断線７８が設けられている。
【００１８】
また側面１４の、隣接する側面１６の連接方向に対して平行に位置する端部１４ａの少し内側には、端部１４ａに対して平行であり端部１４ａより短い折罫線８０が形成されている。そして、折罫線８０上には破断線が設けられている。そして、折罫線８０の両端部から端部１４ａにかけて一対の切込線８１が設けられ、一対の切込線８１と折罫線８０に囲まれた部分は、組立状態で包装用箱１０の内側を連続して沿う内箱片８２の一部となる。
【００１９】
内箱片８２には、側面１４に連接し側面１４の内側に折り返される折返片８４が設けられ、折返片８４は、側面１４の端部１４ａよりも外側に連続して設けられ、折罫線８０に対して平行で折罫線８０よりも長い一辺を有する台形状である。折返片８４の側縁部には、第一底蓋片３４と第二底蓋片６８により組み立てられる底部に沿う内底片８６と、側面１８の内側に沿う折返片８８と、上蓋片５６の内側に沿う内側上蓋片９０が、連続して設けられている。内底片８６と折返片８８、内側上蓋片９０は、各々矩形に形成されている。そして折返片８４、内底片８６、折返片８８、内側上蓋片９０は、各々折罫線９２，９４，９６で区切られている。折罫線９２，９４上には破断線が設けら、折罫線９６の中央付近には切込線が設けられている。折返片８８の、折罫線９６寄りの部分には、組立状態で側面１８の舌辺３３が差し込まれる被係合部でありその先端が折罫線９４側を向くコの字形の切込線９８が形成されている。そして側面１４には、折罫線８０の近傍に折罫線８０に対して平行な長丸状の透孔１００が形成されている。
【００２０】
次にこの実施形態の包装用箱１０の組立方法について説明する。なお、ここでは図２がこの包装用箱１０の箱体形成片１２の紙面裏面側を見たものであり、図２において紙面表面側が凹になる折り方を正折り、そして紙面裏面側が凹になる折り方を逆折りと称する。
【００２１】
まず、側面１４の裏面の、透孔１００の下方に糊１０２を塗布する。次に折罫線８０を正折りして側面１４の裏面に折返片８４を糊付けし、折罫線９２を逆折りして図３に示す状態となる。次に、折罫線２４を正折りし、図４に示すように側面１８の裏面に内箱形成片１２の折返片８８を重ねる。そして側面２２の裏面の、破断線７８と折罫線６６の間に、糊１０４を塗布する。そして、折罫線２８を正折りして側面２２の裏面に側面１４の表面を糊付けする。
【００２２】
そして、折罫線２４，２６，２８，３０を各々９０°に正折りして四角形の箱体にする。そして、折罫線４６，５４でフラップ４４，５２を正折りし、その後折罫線３５で第一底蓋片３４を正折りし、次に折罫線６６で第二底蓋片６８を正折りし、第二底蓋片６８の一対の差込突起７０を、第一底蓋片３４の一対の切欠部３９の内側に差し込み閉鎖する。このとき、第一底蓋片３４の中央差込突起３６と一対の外側差込突起３８は、第二底蓋片６８の内側に位置し、押さえられて確実に係止されている。また、内箱形成片８２は折罫線９４を逆折りし、内底片８６を第一底蓋片３４と第二底蓋片６８で組み立てられた底部の内側に重ね、折返片８８を側面１８の内側に重ねる。そして、側面１８の舌片３３を折返片８８の差込線９８に差し込み、側面１８の表面から裏面に貫通させて折返片８８を側面１８に係止する。
【００２３】
この状態で、商品１０６を中に入れる。次に折罫線９６を正折りして内側上蓋片９０を容器１０６の上方にかぶせる。さらに、折罫線４２，５０でフラップ４０，４８を正折りし、その後、折罫線５８で上蓋片５６を正折りし、さらに折罫線６２を正折りして差込片６０を側面１８の内側に差し込む。このとき差込片６０の差込突起６４は、側面１８と、内箱片８２の折返片８８の間に差し込まれる。そして、一対の差込突起６４の間の端部６０ａは、側面１８の舌片３３と舌片３３を覆う折返片８８の一部を外側から覆っている。このため差込片６０の端部６０ａが側面１８に達し、端部６０ａは、側面１８の舌片３３の外側に位置する折り返し片８８の一部を隠す覆い片となっている。この状態で、差込片６０の端部６０ａと側面１８を、図示しない改ざん防止用テープで止める。
【００２４】
次に、包装用箱１０を開封するときは、まず側面２２の透孔７２に指を入れ、摘み片７４を保持して引き起こす。このとき、摘み片７４には折罫線７６が設けられているため、容易に保持することができる。そして、摘み片７４を折罫線５８に向かって移動させ、一対の破断線７８を切断する。すると、図１に示すように側面２２の、一対の破断線７８に囲まれた部分が開封される。このとき、一対の破断線７８に囲まれた部分が位置していたところには、内箱片８２の折返片８４が露出し、摘み片７４が位置していたところには透孔１００が位置している。そして、一度開封した包装用箱１０を再度閉鎖するときは、摘み片７４を透孔１００に差し込み、係止する。
【００２５】
この実施形態の包装用箱１０によれば、簡単な構造により確実に収容物の改ざんを防ぐことができる。そして、内箱片８２により底部を二重にし、底部からの改ざんを防ぐことができる。即ち、包装用箱１０の底部を、第一底蓋片３４と第二底蓋片６８の組み合わせを解除して開封しても、内箱片８２の内底片８６で開口が閉鎖され、収容されている商品１０６は見えない。また、内箱片８２は、折返片８８の切込線９８に、側面１８の舌片３３が、内箱片８２を外側に引く方向に対して反対側へ向かって差し込まれて係止しているため、引き抜くことができない。内箱片８２を破損すると、改ざんした痕跡となり、容易に判断することができる。また、内箱片８２の折返片８８が、側面１８の舌片３３に係止されている状態は、上蓋片５６の差込片６０に覆われているため、外から視認することができない。また上蓋片５６は、改ざん防止テープが貼り付けられているため開封を防止することができる。
【００２６】
なお、この実施形態の包装用箱１０は、底部を形成する第一底蓋片３４と第二底蓋片６８の形状等、自由に変更可能である。例えば、図６の包装用箱１１のように、側面１８の、端部１８ａに対して平行な端部１８ｂに、端部１８の中心を挟んで所定間隔に、一対のＶ字状の切欠部１０８が設けられ、一対の切欠部１０８の間は、係合部であり後述する底蓋片１１２の差込片１１６内側に差し込まれる舌片１１０となるものでもよい。
【００２７】
そして、側面２２の、折罫線５８に対して平行な端部には、底蓋片１１２が折罫線１１４で区切られて設けられている。そして、底蓋片１１２には、さらに組立状態で側面１８の内側に差し込まれる差込片１１６が折罫線１１８で区切られて形成されている。差込片１１６の側縁部の両脇には、一対の差込突起１２０が一体に設けられている。
【００２８】
この包装用箱１１の組立方法は、上記の包装用箱１０とほぼ同じである。ただし、底部の組立方法は、まず折罫線４６，５４でフラップ４４，５２を正折りし、その後、折罫線１１４で底蓋片１１２を正折りし、さらに折罫線１１８を正折りして差込片１１６を側面１８の内側に差し込む。このとき、差込片１１６の差込突起１２０は側面１８と内箱片８２の折返片８８の間に差し込まれる。そして、一対の差込突起１２０の間の端部１１６ａは、側面１８の舌片１１０を外側から覆っている。差込片１１６の端部１１６ａが側面１８に達し、この状態で、差込片１１６の端部１１６ａと側面１８を、図示しない改ざん防止用テープで止める。
【００２９】
この包装用箱１１によれば、上記実施の形態の包装用箱１０とほぼ同じ効果を有するものである。そして、底部を形成する底蓋片１１２は上蓋片２４と同じ単純な形状であり、組立が容易である。
【００３０】
なお、この発明の包装用箱は、開封片や蓋片、差込片の形状、位置等は自由に変更可能である。また、用途は劇薬や麻薬成分が含まれている医薬品等を包装するもの以外に、食品用等自由に使用することができる。
【００３１】
【発明の効果】
この発明の包装用箱は、簡単な構造により確実に収容物の改ざんを防ぐことができる。特に、包装用箱の底部を形成する底蓋片を開封しても、内箱片により底部が閉じられた二重構造になっているため、底部から改ざんすることができず、中の商品は安全である。そして内箱片を破損すると、改ざんした痕跡が残り、容易に判断することができる。また、改ざんを防止する構造を有していることは、外から視認することができない。
【図面の簡単な説明】
【図１】この発明の一実施形態の包装用箱の開封した状態を示す斜視図である。
【図２】この実施形態の包装用箱の展開図である。
【図３】この実施形態の包装用箱の組立工程の第一段階を示す
【図４】この実施形態の包装用箱の組立工程の第二段階を示す
【図５】この実施形態の包装用箱の縦断面図である
【図６】この実施形態の変形例を示す展開図である。
【符号の説明】
１０  包装用箱
１２  箱体形成片
１４，１６，１８，２０，２２  側面
３２  切欠部
３３  舌片
３４  第一底蓋片
３６  中央差込突起
３８  外側差込突起
４０，４８  フラップ
４４，５２  底フラップ
５６  上蓋片
６０  差込片
６４，７０  差込突起
６８  第二底蓋片
７２  透孔
７４  摘み片
７８  破断線
８１  切込線
８２  内箱片
８４、８８  折返片
８６  内底片
９０  内側上蓋片
９８  切込線
１００  透孔
【図１】
0003809122.tif 000002
【図２】
0003809122.tif 000003
【図３】
0003809122.tif 000004
【図４】
0003809122.tif 000005
【図５】
0003809122.tif 000006
【図６】
0003809122.tif 000007